(57)【要約】【課題】走行中の車両に関する情報を容易に取得させ、表示画面を用いた走行中のエンターテインメント性を向上させること。【解決手段】車両に搭載される情報表示装置であって、車両の走行時に走行位置および車両に加わるＧ（ｇｒａｖｉｔｙ）の情報を取得する取得部１０１と、表示画面１０３を制御して、走行位置を含む所定の走行範囲におけるＧの情報を表示する表示制御部１０２と、を備え、表示制御部１０２は、車両の走行状態に対応して走行位置毎のＧの情報を更新して表示する。【選択図】        図１
2006160191.tif 000002
【特許請求の範囲】
【請求項１】
車両に搭載される情報表示装置であって、
前記車両の走行時に走行位置および前記車両に加わるＧ（ｇｒａｖｉｔｙ）の情報を取得する取得手段と、
表示画面を制御して、前記走行位置を含む所定の走行範囲における前記Ｇの情報を表示する表示制御手段と、
を備え、
前記表示制御手段は、前記車両の走行状態に対応して前記走行位置毎の前記Ｇの情報を更新して表示することを特徴とする情報表示装置。
【請求項２】
前記表示制御手段は、現在の走行位置の前記Ｇの情報を常に表示し、過去の走行位置の前記Ｇの情報を所定方向にスクロールさせて表示することを特徴とする請求項１に記載の情報表示装置。
【請求項３】
車両に搭載される情報表示装置であって、
前記車両の過去の走行時の走行位置および前記車両に加わるＧ（ｇｒａｖｉｔｙ）の情報を取得する取得手段と、
前記取得手段により取得された前記Ｇの情報を前記走行位置と対応付けて格納する格納手段と、
前記車両の走行予定の経路を設定する設定手段と、
前記設定手段により設定された前記車両の走行予定の経路上に位置する前記走行位置および前記Ｇの情報を前記格納手段から読み出し、表示画面を制御して、前記走行位置を含む所定の走行範囲における前記Ｇの情報を表示する表示制御手段と、
を備えたことを特徴とする情報表示装置。
【請求項４】
前記表示制御手段は、前記格納手段に格納された過去の走行時の走行位置の前記Ｇの情報に基づいて、現在の走行位置の前記Ｇの情報とともに、走行予定の経路上における未来の走行位置のＧの情報を表示することを特徴とする請求項３に記載の情報表示装置。
【請求項５】
前記取得手段は、前記Ｇの情報として前記車両の走行時に左右方向に加わる横Ｇ（ｇｒａｖｉｔｙ）の情報を取得し、
前記表示制御手段は、前記横Ｇの大きさと、当該横Ｇが加わる方向とを前記所定の走行位置の範囲を有して表示することを特徴とする請求項１〜４のいずれか一つに記載の情報表示装置。
【請求項６】
前記取得手段は、前記Ｇの情報として前記車両の走行時に進行方向前後に加わる進行方向Ｇ（ｇｒａｖｉｔｙ）の大きさを取得し、
前記表示制御手段は、前記横Ｇの大きさと、当該進行方向Ｇが加わる方向とを前記所定の走行位置の範囲を有して表示することを特徴とする請求項１〜４のいずれか一つに記載の情報表示装置。
【請求項７】
前記表示制御手段は、前記走行位置の所定範囲における前記Ｇの情報とともに、前記車両の走行位置を示す地図表示画面をあわせて表示することを特徴とする請求項１〜６のいずれか一つに記載の情報表示装置。
【請求項８】
車両に搭載される情報表示装置に情報を表示する情報表示方法であって、
前記車両の走行時に走行位置および前記車両に加わるＧ（ｇｒａｖｉｔｙ）の情報を取得する取得工程と、
表示画面を制御して、前記走行位置を含む所定の走行範囲における前記Ｇの情報を表示する表示工程と、
を含み、
前記表示工程は、前記車両の走行状態に対応して前記走行位置毎の前記Ｇの情報を更新して表示することを特徴とする情報表示方法。
【請求項９】
車両に搭載される情報表示装置に情報を表示する情報表示方法であって、
前記車両の過去の走行時の走行位置および前記車両に加わるＧ（ｇｒａｖｉｔｙ）の情報を取得する取得工程と、
前記取得工程により取得された前記Ｇの情報を前記走行位置と対応付け、前記車両の走行予定の経路上に位置する前記走行位置および前記Ｇの情報を、表示画面を制御して、前記走行位置を含む所定の走行範囲を表示する表示工程と、
を含み、
前記表示工程は、前記車両の走行状態に対応して前記走行位置毎の前記Ｇの情報を更新して表示することを特徴とする情報表示方法。
【請求項１０】
請求項８または９に記載の情報表示方法をコンピュータに実行させることを特徴とする情報表示プログラム。
【発明の詳細な説明】
【技術分野】
【０００１】
本発明は、情報表示装置、情報表示方法および情報表示プログラムに関する。ただし、本発明の利用は前述の情報表示装置、情報表示方法および情報表示プログラムには限らない。
【背景技術】
【０００２】
従来、車両の走行状態である速度やエンジン回転数等の変化は、車両の計器パネルを用いて表示するのが一般的であった。また、車載ナビゲーション装置は、車両が走行する現在地や走行予定経路を地図情報を用いて表示する表示画面が設けられている。
【発明の開示】
【発明が解決しようとする課題】
【０００３】
しかしながら、上記の従来技術では、計器パネルは表示エリアが限られており、各種の走行データを表示することができなかった。車載ナビゲーション装置においても地図情報を表示する程度であった。このため、車両の速度やエンジン回転数以外の各種の走行データ、たとえば車両の走行時における進行方向Ｇや、横Ｇ等の情報を表示することができないという問題が一例として挙げられる。これらのＧは走行している道路の曲がり具合や山道、坂道等においてハンドルやブレーキ等の車両の運転操作をおこなったり、エンターテインメント性を向上させる情報として有効であり、効果的な表示が望まれていた。
【課題を解決するための手段】
【０００４】
請求項１に記載の発明にかかる情報表示装置は、車両に搭載される情報表示装置であって、前記車両の走行時に走行位置および前記車両に加わるＧ（ｇｒａｖｉｔｙ）の情報を取得する取得手段と、表示画面を制御して、前記走行位置を含む所定の走行範囲における前記Ｇの情報を表示する表示制御手段と、を備え、前記表示制御手段は、前記車両の走行状態に対応して前記走行位置毎の前記Ｇの情報を更新して表示することを特徴とする。
【０００５】
また、請求項３に記載の発明にかかる情報表示装置は、車両に搭載される情報表示装置であって、前記車両の過去の走行時の走行位置および前記車両に加わるＧ（ｇｒａｖｉｔｙ）の情報を取得する取得手段と、前記取得手段により取得された前記Ｇの情報を前記走行位置と対応付けて格納する格納手段と、前記車両の走行予定の経路を設定する設定手段と、前記設定手段により設定された前記車両の走行予定の経路上に位置する前記走行位置および前記Ｇの情報を前記格納手段から読み出し、表示画面を制御して、前記走行位置を含む所定の走行範囲における前記Ｇの情報を表示する表示制御手段と、を備えたことを特徴とする。
【０００６】
また、請求項８に記載の発明にかかる情報表示方法は、車両に搭載される情報表示装置に情報を表示する情報表示方法であって、前記車両の走行時に走行位置および前記車両に加わるＧ（ｇｒａｖｉｔｙ）の情報を取得する取得工程と、表示画面を制御して、前記走行位置を含む所定の走行範囲における前記Ｇの情報を表示する表示工程と、を含み、前記表示工程は、前記車両の走行状態に対応して前記走行位置毎の前記Ｇの情報を更新して表示することを特徴とする。
【０００７】
また、請求項９に記載の発明にかかる情報表示方法は、車両に搭載される情報表示装置に情報を表示する情報表示方法であって、前記車両の過去の走行時の走行位置および前記車両に加わるＧ（ｇｒａｖｉｔｙ）の情報を取得する取得工程と、前記取得工程により取得された前記Ｇの情報を前記走行位置と対応付け、前記車両の走行予定の経路上に位置する前記走行位置および前記Ｇの情報を、表示画面を制御して、前記走行位置を含む所定の走行範囲を表示する表示工程と、を含み、前記表示工程は、前記車両の走行状態に対応して前記走行位置毎の前記Ｇの情報を更新して表示することを特徴とする。
【０００８】
また、請求項１０に記載の発明にかかる情報表示プログラムは、請求項８または９に記載の情報表示方法をコンピュータに実行させることを特徴とする。
【発明を実施するための最良の形態】
【０００９】
以下に添付図面を参照して、この発明にかかる情報表示装置、情報表示方法および情報表示プログラムの好適な実施の形態を詳細に説明する。
【００１０】
（情報表示装置の機能的構成）
まず、この発明の実施の形態にかかる情報表示装置の内容について説明する。図１は、この発明の実施の形態にかかる情報表示装置の機能的構成の一例を示すブロック図である。
【００１１】
図１において、車両（四輪車、二輪車を含む）等に備えられた情報表示装置は、取得部１０１と、表示制御部１０２と、表示画面１０３と、格納部１０４と、設定部１０５とを含む構成となっている。
【００１２】
取得部１０１は、車両の速度情報やエンジン回転数情報、車両の傾斜角情報、Ｇ（ｇｒａｖｉｔｙ）である横Ｇ情報、進行方向Ｇ情報を取得する。さらに、取得部１０１は、上記情報以外の車両の状態に関する情報、たとえば、加速度情報、角速度情報、電圧情報、方向情報、時刻情報、緯度経度情報、トルク情報、馬力情報等をあわせて取得するようにしてもよい。
【００１３】
さらに、取得部１０１は、車両の現在地情報および現在地情報に対応する地図情報をあわせて取得するようにしてもよい。現在地情報および地図情報は、目的地までの道路を経路案内する車載ナビゲーション装置の機能を用いることができる。地図情報には、緯度経度毎に道路の道すじ等の情報を含んでいる。
【００１４】
表示制御部１０２は、車両が走行する道路の進行方向Ｇ情報や、横Ｇ情報を表示する。これらのＧの情報は、車両の走行時に限らず、過去に走行した道路を再び走行する際に走行予定経路上のＧの情報として表示することもできる。車両が走行した際のＧの情報は、格納部１０４に緯度経度情報とともに格納しておくことができる、そして、再び同じ道路を走行する際に格納部１０４から読み出して表示することができる。なお、車両の走行位置や、走行予定経路は、地図情報を用いて表示させることができる。
【００１５】
また、表示制御部１０２は、車両の走行中においては、現在地におけるＧの情報と、通過した過去の位置におけるＧの情報を所定範囲で更新して表示することができる。たとえば、現在地を基準にして所定の距離の範囲のＧの情報を更新して履歴表示することができる。この場合、現在地におけるＧの情報を常に表示させ、通過した位置のＧの情報をスクロールして表示することができる。
【００１６】
Ｇの情報は、Ｇの値の大きさに対応したバーグラフを用いて表示することができる。たとえば横Ｇであれば、車両の左右それぞれの方向のＧの大きさに対応して表示画面１０３の左右方向に伸びる長さを有したバーを表示させる。これにより、たとえば、車両が右側へカーブを切っていときには、左側の方向に、曲がり具合に対応した大きさの横Ｇが発生し、車両が左側へカーブを切っていときには、右側の方向に、曲がり具合に対応した大きさの横Ｇが発生する。なお、横Ｇが左右いずれにも発生していない場合は、直進しているときであり、道路が前方方向を向いている（左右いずれにもハンドル操作していない）。
【００１７】
また、進行方向Ｇであれば、車両の前後それぞれの方向のＧの大きさに対応して表示画面１０３の上下方向に伸びる長さを有したバーを表示させる。これにより、たとえば、車両が加速したときには、後方にＧが発生し、車両が停止したときには、前側にＧが発生する。急発進時や急停止時にはＧの大きさが大きくなる。
【００１８】
このように、上記本実施の形態によれば、車両の走行データを表示することができ、これにより、車両の運転操作の状態を表示できるとともに、エンターテインメント性を向上させることができる。
【００１９】
また、表示画面１０３は、専用の表示画面であってもよく、また、車載ナビゲーション装置の表示画面であってもよい。表示画面１０３が、車載ナビゲーション装置の表示画面を用いることによって、車載ナビゲーション装置を備えた車両にあっては、別途表示画面１０３を装着しなくてもよい。また、車載ナビゲーション装置の表示画面を用いることによって、運転者だけでなく助手席の同乗者も表示内容を容易に確認することができ、走行データの変化によって運転状態を確認でき、また運転者に対する運転操作の注意を促す等のナビゲーションをおこなうこともできる。
【００２０】
格納部１０４は、取得部１０１によって取得された情報を格納する。本実施の形態における格納部１０４には、車両が走行する位置情報（緯度経度）と、この位置情報毎の走行データとしてＧの情報を格納しておく。これにより車両が走行した道路におけるＧの状態が履歴として格納される。
【００２１】
設定部１０５は、車両の走行予定経路を設定する。車載ナビゲーション装置に対して目的地を設定することにより、車載ナビゲーション装置は、現在地から目的地に対して所定の走行予定経路を算出する。この算出された走行予定経路が設定部１０５に設定される。設定された走行予定経路は、表示制御部１０２に出力される。表示制御部１０２は、設定部１０５に走行予定経路が設定されているときには、この走行予定経路に対応する走行データ（Ｇの情報）を格納部１０４から読み出す。これにより、車両が走行しようとする走行予定経路上における走行データであるＧの情報を走行前、あるいは走行しながら表示できるようになる。
【００２２】
（情報表示装置の処理の手順）
つぎに、この発明の実施の形態にかかる情報表示装置の処理の手順について説明する。図２は、この発明の実施の形態にかかる情報表示装置の処理の手順の一例を示すフローチャートである。
【００２３】
図２のフローチャートにおいて、まず、表示画面１０３がＯＮされているか否かを判断する（ステップＳ２０１）。そして、ＯＮされるのを待って、ＯＮされた場合は（ステップＳ２０１：Ｙｅｓ）、走行データを取得する（ステップＳ２０２）。走行データとしては、Ｇ（ｇｒａｖｉｔｙ）の情報である。
【００２４】
また、車両の走行の位置情報を取得する（ステップＳ２０３）。そして、取得した走行位置毎の走行データを表示画面１０３の所定の領域にあらかじめ定められた表示方法で表示する（ステップＳ２０４）。つぎに、表示画面１０３がＯＦＦされたか否かを判断し（ステップＳ２０５）、ＯＦＦされていない場合は（ステップＳ２０５：Ｎｏ）、所定の時間（たとえば数ｍｓｅｃ）が経過したかを判断する（ステップＳ２０６）。ここで、所定時間が経過するのを待って、経過した場合は（ステップＳ２０６：Ｙｅｓ）、ステップＳ２０２へ戻って、走行データおよび位置情報の取得・表示を繰り返しておこなう。
【００２５】
このように処理することによって、刻々と変化する走行データ（Ｇの情報）を表示画面１０３に表示することができる。そして、ステップＳ２０５において、表示画面１０３がＯＦＦされた場合は（ステップＳ２０５：Ｙｅｓ）、一連の処理を終了する。
【００２６】
ステップＳ２０４により表示する走行データは、前述したように、走行位置毎のＧの情報として表示画面１０３に走行データの履歴として表示することができる。
【実施例】
【００２７】
（ハードウエア構成）
つぎにこの発明の実施例にかかる情報表示装置のハードウエア構成について説明する。図３は、この発明の実施例にかかる情報表示装置のハードウエア構成の一例を示すブロック図である。
【００２８】
図３において、情報表示装置は、表示制御部１０２として機能するＣＰＵ３０１と、ＲＡＭ３０２と、ＲＯＭ３０３と、メモリ３０４と、時計３０５とを含む構成となっている。また、ユーザ操作部３１０と、走行中の車両の速度を検出する速度センサ３１１と、車両のエンジンの回転数を検出するエンジン回転数センサ３１２と、車両の傾斜角を検出する傾斜角センサ３１３と、車両の加速度を検出する加速度センサ３１４と、コーナリングの際の車両の角速度を検出する角速度センサ３１５と、Ｇを検出するＧセンサ３１６とが、表示制御部１０２に接続されている。Ｇセンサ３１６は、コーナリングの際、遠心力によって発生する外向きの力である横Ｇや、加速および停止時に発生する前後の力である進行方向Ｇをそれぞれ検出する。進行方向Ｇは加速度センサ３１４を用いて検出することもできる。
【００２９】
また、人工衛星からの電波を受信することによって車両の位置（緯度経度情報）を検出するＧＰＳ３１７、車両の進行方向を検出するジャイロセンサ３１８、車両の電気系統の電圧センサ３１９とが、表示制御部１０２に接続されている。これらの各センサ３１１〜３１９によって取得部１０１の機能を実現する。また、表示画面１０３として機能するディスプレイ３２０と、さらには、アンプ３２１が、表示制御部１０２に接続されている。
【００３０】
また、図示しない外部の装置から出力される各種の情報は、インタフェース（Ｉ／Ｆ）３２３を介して入力される。このほか、インタフェース３２３は、外部の通信装置と無線によってデータ通信をおこなうことができる。
【００３１】
ここで、ＣＰＵ３０１は表示制御をするとともに、情報表示装置の全体を制御する。ＲＡＭ３０２は、ＣＰＵ３０１のワークエリアとして使用される。ＲＯＭ３０３は、情報表示装置の基本処理プログラムを記憶している。メモリ３０４は、各種情報を記憶するものであり、格納部１０４を構成している。具体的には、たとえば、ハードディスク（ＨＤ）であり、その代わりにあるいはＨＤに加えて、ＤＶＤ、コンパクトディスク（ＣＤ）等の着脱可能な記録媒体であってもよい。また、時計３０５は、現在時刻に関する情報を計時し記憶する。
【００３２】
ユーザ操作部３１０は、たとえば、リモコン、タッチパネル、情報表示装置に備えられたボタン等によってその機能を実現するものであり、設定部１０５を構成している。また、ディスプレイ３２０は、具体的には、たとえば液晶ディスプレイや有機ＥＬディスプレイ等を含む。
【００３３】
さらに、図示を省略するが、一般的な車載ナビゲーション装置が備える地図ＤＢと、ナビゲーション制御部と、位置認識部と、案内音出力部と、地点検索部と、経路取得部と、経路誘導部と、案内音生成部と、を含む構成となっている。
【００３４】
ここで、ナビゲーション制御部は、位置認識部によって算出された自車位置情報と、地図ＤＢとに基づいて、ディスプレイ３２０へ車両が地図上のどの位置を走行しているかを出力する。
【００３５】
案内音出力部は、アンプ３２１を用いて一つまたは複数のスピーカ３２２への出力を制御することによって、案内音を再生する。
【００３６】
地点検索部は、ユーザ操作部３１０から入力された情報に基づいて、任意の地点を検索し、これをディスプレイ３２０へ出力する。また、経路取得部は、地点検索部によって得られた地点情報に基づいて、当該地点までの最適な経路を算出する。また、経路誘導部は、経路取得部によって得られた情報と自車位置情報に基づいて、リアルタイムな経路誘導情報の生成をおこなう。
【００３７】
案内音生成部は、パターンに対応したトーンと音声のデータを生成する。すなわち、経路情報に基づいて、案内ポイントに対応した仮想音源の設定と音声ガイダンス情報の生成をおこない、これを案内音出力部へ出力する。
【００３８】
（情報表示装置の表示例）
つぎに、この発明の実施例にかかる情報表示装置の表示の一例について説明する。図４および図５は、この発明の実施例にかかる情報表示装置の表示画面の表示内容の一例を示す説明図である。
【００３９】
図４において、表示画面１０３上には、走行データとして横Ｇの表示エリア４００が設けられている。この横Ｇの表示エリア４００は、中央の縦軸がＧ＝０であり、右側にかかる横Ｇ（プラス）の表示領域４００ａと、左側にかかる横Ｇ（マイナス）の表示領域４００ｂとが設けられている。そして、横Ｇの大きさに対応した長さのレベル・バー４０１が横（左右）方向に伸びるように表示される。
【００４０】
横Ｇの表示エリア４００に表示される一番下のレベル・バー４０１ａには、車両の現在地における横Ｇが表示される。この一番下のレベル・バー４０１ａより上に位置するレベル・バー４０１は、過去の位置であり、一番下のレベル・バー４０１ａが常に現在地の横Ｇとして表示され、また、過去の所定距離（所定期間）分の横Ｇの履歴を表示するようになっている。現在地のレベル・バー４０１ａは他のレベル・バー４０１の表示色と異なる色を用いて表示してもよい。また、横Ｇの表示エリア４００に表示される一番上のレベル・バーを車両の現在地における横Ｇとして表示し、この一番上のレベル・バーより下に位置するレベル・バー４０１は、過去の位置の横Ｇとして表示してもよい。
【００４１】
また、横Ｇの表示エリア４００の側部には、横Ｇの値を数値表示する表示エリア４０２が設けられている。この表示エリア４０２には、現在の横Ｇの値の表示エリア４０２ａと、過去の横Ｇのうち右側（プラス）および左側（マイナス）のそれぞれの最大値（ＭＡＸ）４０２ｂを表示するようになっている。これら最大値の横Ｇの表示は、横Ｇの表示エリア４００として設定されている所定距離における最大値を表示する。
【００４２】
また、横Ｇの表示エリア４００の側部には、地図情報の表示エリア４１０を表示させてもよい。この表示エリア４１０に表示される４１１は、車両の現在地であり、４１２は道路である。このように、車両の走行位置をあわせて表示することにより、道路の曲がり具合と、横Ｇの大きさとを関連づけて表示させることができるようになる。
【００４３】
このほか、表示画面１０３には、メニュー表示用のキー４２１、横Ｇの表示エリア４００を表示／非表示に切り換えるキー４２２、地図情報の表示エリア４１０を表示／非表示に切り換えるキー４２３が設けられる。４２４は、時刻情報表示領域であり、デジタル表示によって現在の日付と時刻である『２００４（年）３（月）３０（日）、０４：４６（ＡＭ）』を示している。この表示は針式時計によるアナログ表示であってもよい。また、２４時間表示であってもよい。
【００４４】
図５は、この発明の実施例にかかる情報表示装置の表示画面の表示内容の別の一例を示す説明図である。図５において図４と同様の表示内容には同一の番号を附してある。図５においては、車両の進行方向Ｇの表示エリア５００を設けた構成である。
【００４５】
この進行方向Ｇの表示エリア５００は、中央の横軸がＧ＝０であり、上側にかかる進行方向Ｇ（プラス）の表示領域５００ａと、下側にかかる進行方向Ｇ（マイナス）の表示領域５００ｂとが設けられている。そして、進行方向Ｇの大きさに対応した長さのレベル・バー５０１が上下方向に伸びるように表示される。
【００４６】
進行方向Ｇの表示エリア５００に表示される一番左のレベル・バー５０１ａには、車両の現在地における進行方向Ｇが表示される。この一番左のレベル・バー５０１ａより右に位置するレベル・バー５０１は、過去の位置であり、一番左のレベル・バー５０１ａが常に現在地の進行方向Ｇとして表示され、また過去の所定距離（所定期間）分の進行方向Ｇの履歴を表示するようになっている。現在地のレベル・バー５０１ａは他のレベル・バー５０１の表示色と異なる色を用いて表示してもよい。また、進行方向Ｇの表示エリア５００に表示される一番右のレベル・バーを車両の現在地における進行方向Ｇとして表示し、この一番右のレベル・バーより左に位置するレベル・バー５０１は、過去の位置の進行方向Ｇとして表示してもよい。
【００４７】
また、進行方向Ｇの表示エリア５００の側部には、進行方向Ｇの値を数値表示する表示エリア４０２が設けられている。この表示エリア４０２には、現在の進行方向Ｇの値の表示エリア４０２ａと、過去の進行方向Ｇのうち上側（プラス）および下側（マイナス）のそれぞれの最大値（ＭＡＸ）４０２ｂを表示するようになっている。これら最大値の進行方向Ｇの表示は、表示エリア５００に表示している所定距離における最大値を表示する。
【００４８】
図４および図５を用いて表示画面１０３に表示する横Ｇや進行方向Ｇは、車両の走行時に現在地および過去の道路に関する履歴として表示するものとした。取得部１０１（図１参照）は、車両の走行時における位置情報と、Ｇの情報とを関連づけて格納部１０４に格納しておくことができる。したがって、車載ナビゲーション装置によって新たな走行予定経路が算出された際には、設定部１０５に設定された走行予定経路上におけるＧの情報を走行前にあらかじめ所定距離分表示することができる。これにより、車両の走行開始前において道路の状況、たとえば曲がり具合や坂道に応じた横Ｇおよび進行方向Ｇの発生状態を確認でき、車両各部の点検や安全運転の励行に役立てることができるようになる。
【００４９】
また、格納部１０４からＧの情報を読み出す構成の場合、車両が走行している状態において、常に進行方向（未来）のＧの情報を予告して表示することもできる。たとえば、横Ｇの表示エリア４００（図４参照）に表示された横Ｇのレベル・バー４０１の大きさが大きいときには、急な曲がりが多いことを事前に表示させることができる。また、進行方向Ｇの表示エリア５００（図５参照）に表示された進行方向Ｇのレベル・バー５０１の大きさが大きいときには、急な登り、あるいは下りの坂が多いことを事前に表示させることができる。これにより、今後進行する道路状態を把握して運転操作に役立てることができるようになる。
【００５０】
（情報表示装置の実装例）
図６は、この発明の実施例にかかる情報表示装置の実装の一例を示す説明図である。図６に示すように、車両内の運転席と助手席との間に車載ナビゲーション装置６０１が装着されている。車載ナビゲーション装置６０１のディスプレイはオンダッシュ、インダッシュのいずれの方式であってもよい。
【００５１】
また、表示画面１０３は、車載ナビゲーション装置６０１の表示画面であってもよい。表示画面１０３が、車載ナビゲーション装置６０１の表示画面を用いることによって、車載ナビゲーション装置６０１を備えた車両にあっては、別途表示画面１０３を装着しなくてもよい。また、車載ナビゲーション装置６０１の表示画面を用いることによって、運転者だけでなく助手席の同乗者も表示内容を容易に確認することができ、運転のナビゲーションを容易におこなうことができる。このような車載ナビゲーション装置６０１を用いて、運転時の走行データを表示させてエンターテインメント性の向上も図ることができる。
【００５２】
以上説明したように、本実施例によれば、車両の走行データとしてＧの情報をレベル・バーを用いて表示することにより、車両が走行している道路の曲がりや坂の状態を可視的に表示することができるようになる。対応してハンドル、アクセル、ブレーキ操作等の運転操作の状態を表示できるようになる。また、車両が走行した過去の道路に関するＧの情報を格納しておくことにより、走行予定の道路で必要な運転操作の状態を事前に表示でき、安全運転の励行に効果的な表示をおこなえるようになる。
【００５３】
なお、本実施の形態における情報表示方法は、あらかじめ用意されたコンピュータ読み取り可能なプログラムであってもよく、またそのプログラムをサーバーを含むパーソナルコンピュータやワークステーション等のコンピュータで実行することによって実現される。このプログラムは、ＨＤ、ＦＤ、ＣＤ−ＲＯＭ、ＭＯ、ＤＶＤ等のコンピュータで読み取り可能な記録媒体に記録され、コンピュータによって記録媒体から読み出されることによって実行される。また、このプログラムは、インターネット等のネットワークを介して配布することが可能な伝送媒体であってもよい。
【図面の簡単な説明】
【００５４】
【図１】この発明の実施の形態にかかる情報表示装置の機能的構成の一例を示すブロック図である。
【図２】この発明の実施の形態にかかる情報表示装置の処理の手順の一例を示すフローチャートである。
【図３】この発明の実施例にかかる情報表示装置のハードウエア構成の一例を示すブロック図である。
【図４】この発明の実施例にかかる情報表示装置の表示画面の表示内容の一例を示す説明図である。
【図５】この発明の実施例にかかる情報表示装置の表示画面の表示内容の別の一例を示す説明図である。
【図６】この発明の実施例にかかる情報表示装置の実装の一例を示す説明図である。
【符号の説明】
【００５５】
１０１  取得部
１０２  表示制御部
１０３  表示画面
１０４  格納部
１０５  設定部
４００  横Ｇの表示エリア
５００  進行方向Ｇの表示エリア
４０１、５０１  レベル・バー
６０１  車載ナビゲーション装置
【図１】
2006160191.tif 000003
【図２】
2006160191.tif 000004
【図３】
2006160191.tif 000005
【図４】
2006160191.tif 000006
【図５】
2006160191.tif 000007
【図６】
2006160191.tif 000008